【手続補正書】
【提出日】平成23年4月4日(2011.4.4)
【手続補正１】
【補正対象書類名】特許請求の範囲
【補正対象項目名】全文
【補正方法】変更
【補正の内容】
【特許請求の範囲】
【請求項１】
宝石用原石試料の表面下に合焦される一連のフェムト秒の範囲のレーザパルスを用いた前記試料のバルクにおける証印生成を適応制御するための方法であって、前記証印が、前記試料の表面に影響を及ぼすことなく前記試料を識別し、且つ１０×倍率で不可視であり、前記方法が、
生成されることになる前記証印の特性を予め設定する段階と、
波長、パルス幅、パルス数、繰り返し率、エネルギー／パルス、合焦光学系の開口数、及びターゲット座標を含むグループから選択されるパラメータを用いて、前記一連のレーザパルスのための予め設定されたマーキングプロトコルを実行する段階と、
前記プロトコルが実行されているときに前記証印の生成を自動的に監視する段階と、
前記証印が前記特性を表していることを前記監視段階が明らかにしたときには、前記プロトコルのそれ以上の実行を自動的に中断する段階と、
を含む、
ことを特徴とする方法。
【請求項２】
前記特性が、形状、大きさ、光学的性質及び試料の位置を含むグループから選択される、
ことを特徴とする請求項１に記載の方法。
【請求項３】
前記特性が大きさを含み、該大きさが前記試料の商業的価値を減じない大きさである、
ことを特徴とする請求項２に記載の方法。
【請求項４】
前記監視段階が、前記プロトコルが実行されているときに前記証印の生成を監視して、前記監視段階の結果に基づいて前記パラメータの少なくとも１つを変更する段階を含む、
ことを特徴とする請求項２に記載の方法。
【請求項５】
前記マーキングプロトコルが、前記パラメータの複数のセットを含み、該セットを順次実行する、
ことを特徴とする請求項１に記載の方法。
【請求項６】
各連続的なセットが、前のセットに対してのエネルギー／パルスの変化を順々に含む、
ことを特徴とする請求項５に記載の方法。
【請求項７】
前記監視段階が、前記特性の存在を評価するために撮像光学装置を用いて行われる、
ことを特徴とする請求項１に記載の方法。
【請求項８】
前記試料の構造的変化を送信する光のパルスを検出するための高速光検出器と光学フィルタとを使用することを更に含む、
ことを特徴とする請求項７に記載の方法。
【請求項９】
前記宝石用原石がダイアモンドである、
ことを特徴とする請求項１、５、６、７又は８に記載の方法。
【請求項１０】
宝石用原石試料の表面下に合焦される一連のフェムト秒の範囲のレーザパルスを用いて前記試料のバルクにおける証印生成を制御するための適応制御方法であって、前記証印が、前記試料の表面に影響を及ぼすことなく前記試料を識別し、且つ１０×倍率で不可視であり、前記方法が、
生成されることになる前記証印の特性を予め設定する段階と、
処理ユニットの制御下で、前記試料と関連付けるための識別コードを生成する段階と、
前記識別コードに対応する複数の証印の特徴パターンを決定する段階と、
波長、パルス幅、パルス数、繰り返し率、エネルギー／パルス、合焦光学系の開口数、及びターゲット座標を含むグループから選択されるパラメータを用いて、前記一連のレーザパルスに対する所定のマーキングプロトコルを実行し、前記特徴パターンに従って前記証印の各々を順次に生成することを試みる段階と、
前記プロトコルが実行されているときに前記証印の生成を自動的に監視する段階と、
前記特徴パターンに従って前記プロトコルを実行することにより前記証印の１つを生成するが全てが生成される訳ではない場合、前記処理ユニットが、正常に生成された前記証印と一致する新しい特徴パターンに対応する新しい識別コードを生成をもたらし、必要に応じて前記処理ユニットが、マーキングプロトコルを実行して追加の証印を生成し、前記新しい特徴パターンを完成させることを試みるように前記処理ユニットを制御する段階と、
前記証印が前記特性を表しているときには、前記プロトコルのそれ以上の実行を自動的に中断する段階と、
前記証印の特徴パターン又は前記証印の新しい特徴パターンの生成が完了すると、前記識別コード又は前記新しい識別コードを場合によってはデータベースに記録する段階と、
を含むことを特徴とする方法。
【請求項１１】
前記宝石用原石がダイアモンドである、
ことを特徴とする請求項１０に記載の方法。
【請求項１２】
宝石用原石試料の表面下に合焦される一連のフェムト秒の範囲のレーザパルスを用いて前記試料のバルクにおける証印生成を制御するための適応制御方法であって、前記証印が、前記試料の表面に影響を及ぼすことなく前記試料を識別し、且つ１０×倍率で不可視であり、前記方法が、
処理ユニットの制御下で、前記試料と関連付けるための識別コードを生成する段階と、
前記識別コードに対応する複数の証印の特徴パターンを決定する段階と、
前記処理ユニットの制御下で、前記一連のレーザパルスを印加することにより該パルスのマーキングプロトコルを実行し、前記特徴パターンに従って前記証印の各々を順次に生成することを試みる段階と、
前記特徴パターンに従って前記プロトコルを実行することにより前記証印の１つを生成するが全てが生成される訳ではない場合、前記処理ユニットが、正常に生成された前記証印のパターンと一致する新しい特徴パターンに対応する新しい識別コードの生成をもたらし、必要に応じて前記処理ユニットが、マーキングプロトコルを実行して追加の証印を生成し、前記新しい特徴パターンを完成させることを試みるように前記処理ユニットを制御する段階と、
を含むことを特徴とする方法。
【請求項１３】
前記複数の証印の各々を順々に生成するのを監視する段階を更に含む、
ことを特徴とする請求項１２に記載の方法。
【請求項１４】
前記証印の特徴パターン又は前記証印の新しい特徴パターンの生成が完了すると、前記識別コード又は前記新しい識別コードを場合によってはデータベースに記録する段階を更に含む、
ことを特徴とする請求項１２に記載の方法。
【請求項１５】
前記識別コードを生成する段階が、前記データベースから前記識別コードが利用可能であるか否かを確認し、利用可能でない場合に別の識別コードを生成して、前記データベースから前記別の識別コードが利用可能であるか否かを確認する段階を更に含む、
ことを特徴とする請求項１４に記載の方法。
【請求項１６】
前記宝石用原石がダイアモンドである、
ことを特徴とする請求項１２、１３、１４、又は１５に記載の方法。
【請求項１７】
宝石用原石認証システムであって、
宝石用原石の表面下に合焦される一連の超短レーザパルスを用いて前記宝石用原石のバルクにおいて証印のパターンを付加するためのマーキング装置であって、前記証印は１０×倍率で不可視であり、前記マーキング装置が更に、リアルタイムで前記証印の生成を評価するための撮像光学装置を含み、
前記証印のパターンの各々に識別コードを一意的に関連付けるデータベースと、
前記証印のパターンを検出するために複数の遠隔位置と関連付けられた複数の読取装置と、
前記マーキング装置、前記データベース、及び前記読取装置と通信するように構成された処理ユニットを含み、前記処理ユニットは、前記証印の生成状態に従って、前記マーキング装置の作動を制御し、リアルタイムで前記証印の生成を評価に従って、一連のレーザパルスのパラメータを適合させ、前記データベースに前記証印のパターンの正常な付加を伝達する、
ように構成されていることを特徴とするシステム。
【請求項１８】
前記処理ユニットは、前記証印の予め設定されたパターンが前記宝石用原石に正常に付加されない場合、証印の代替パターンを選択するように構成されている、
ことを特徴とする請求項１７に記載のシステム。
【請求項１９】
前記処理ユニットが、前記証印の代替パターンを選択する際に前記データベースに照会するように構成されている、
ことを特徴とする請求項１８に記載のシステム。
【請求項２０】
宝石用原石試料のバルクにおける証印の生成を制御するための適応制御方法であって、前記証印が、試料の表面に影響を及ぼすことなく前記試料を識別し且つ１０×倍率で不可視であり、前記方法が、
超短レーザパルスマーキングシステムのためのマーキングプロトコルを確立する段階であって、前記プロトコルが、パラメータの予め設定された複数のセットを含み、各セットが、波長、パルス幅、パルス数、繰り返し率、エネルギー／パルス、合焦光学素子の開口数、及びターゲット座標を含むグループから選択されるパラメータを含む段階と、
前記プロトコルにより決定されたパラメータの第１のセットを実行することにより証印を生成することを試みる段階と、
前記パラメータの第１のセットを用いて証印が生成されたか否かを自動的に評価する段階と、
証印が生成されなかった場合には、前記プロトコルにより設定されたパラメータの第２のセットに従って証印を自動的に生成することを試みる段階と、
を含む、
ことを特徴とする方法。
【請求項２１】
前記宝石用原石試料がダイアモンドである、
ことを特徴とする請求項２０に記載の方法。
【請求項２２】
試料を識別するために人為的に彫られた少なくとも３つの表面下証印を有するダイアモンド試料であって、前記３つの証印は局所領域の空間的配列としてコード化され、前記局所領域が、前記局所領域の周囲の光学特性とは異なる光学特性を示し、前記証印の各々が１０×倍率で不可視であり、３μｍ以下の任意の寸法で、前記試料の表面よりも少なくとも２００μｍ下の深さに配置されていることを特徴とする試料。
【請求項２３】
前記複数の表面下証印の第１のサブセットが座標系を定め、前記複数の表面下証印の第２のサブセットが、前記試料に関する識別データをコード化する、
ことを特徴とする請求項２２に記載の試料。
【請求項２４】
宝石用原石試料の表面下に合焦される一連のフェムト秒の範囲のレーザパルスを用いた前記試料のバルクにおける証印生成を適応制御するための方法であって、前記証印が、前記試料の表面に影響を及ぼすことなく前記試料を識別し、且つ１０×倍率で不可視であり、前記方法が、
生成されることになる前記証印の特性を予め設定する段階と、
波長、パルス幅、パルス数、繰り返し率、エネルギー／パルス、及び合焦光学系の開口数、を含むグループから選択されるパラメータを用いて、前記レーザパルスのための予め設定されたマーキング手順の実行に取りかかる段階と、
前記手順が実行されているときに前記証印の生成を監視する段階と、
前記証印が前記特性を表していることを前記監視段階が明らかにしたときには、前記手順の連続した実行を直ちに中断する段階と、
を含む、
ことを特徴とする方法。
【請求項２５】
前記特性が寸法特性であることを特徴とする請求項２４に記載の試料。
【請求項２６】
前記宝石用原石がダイアモンドである、
ことを特徴とする請求項２５に記載の方法。
【請求項２７】
宝石用原石のバルクに証印を付加する装置であって、前記証印が、前記宝石用原石を識別し且つ１０×倍率で不可視であり、前記装置が、
宝石用原石の表面下の選択した深さにおいて１００フェムト秒未満のレーザパルスを合焦させるためのレーザシステムと、
前記レーザシステムを動作するためのパラメータを含むマーキングプロトコルが入っている記憶手段であって、前記パラメータが予め設定されており、パルス幅、パルス数、繰り返し率、エネルギー／パルス及び開口数を含むグループから選択されるメモリ手段と、
前記マーキングプロトコルに従って前記レーザシステムの動作を制御するためのＣＰＵと、
各パルス後の前記各証印の生成を評価するための自動工程監視ユニットと、
を備える、
ことを特徴とする装置。
【請求項２８】
前記ＣＰＵが、前記証印の生成に対する前記工程監視ユニットの評価に従って前記レーザシステムの動作を制御する、
ことを特徴とする請求項２７に記載の装置。
【請求項２９】
前記プロトコルが、順次実行するための前記パラメータの複数のセットを含み、パラメータの第１のセットが証印の生成をもたらすのに失敗した場合には、前記ＣＰＵが、前記パラメータの第２のセットを実行させるように機能することを特徴とする請求項２８記載の装置。
【請求項３０】
前記第２のセットが、前記第１のセットと異なるエネルギー／パルスを含む、
ことを特徴とする請求項２９に記載の装置。
【請求項３１】
前記工程監視ユニットが、撮像光学装置を含む、
ことを特徴とする請求項２７又は３０に記載の装置。
【請求項３２】
前記工程監視ユニットが、高速光検出器と組み合わせて光学フィルタを含む、
ことを特徴とする請求項２７又は３０に記載の装置。
【請求項３３】
イメージ取り込み手段、パルスカウンタ及び光強度測定器を含むグループから選択される少なくとも１つの光チャネルを含む書き込みビーム診断サブシステムを更に備える、
ことを特徴とする請求項２７又は３０に記載の装置。
【請求項３４】
複数の宝石用原石の各々についてのデータを前記宝石用原石内に記録された証印のパターンと一意的に関連付けるためのデータベースを更に備え、前記ＣＰＵは、ターゲット座標が前記証印のパターンの１つによって決定されたときに前記マーキングプロトコルを実行させるようにする、
ことを特徴とする請求項２７に記載の装置。
【請求項３５】
複数の宝石用原石の各々についてのデータを前記宝石用原石内に記録された証印のパターンと一意的に関連付けるためのデータベースを更に備え、前記ＣＰＵは、ターゲット座標が前記証印のパターンの１つにより決定されたときに前記マーキングプロトコルを実行するように構成され、前記パターンの１つの証印が前記プロトコルの実行時に生成されない場合には、前記データベースと通信して証印の代替パターンを取り出すように構成されている、
ことを特徴とする請求項２９に記載の装置。
【請求項３６】
前記宝石用原石がダイアモンドである、
ことを特徴とする請求項２７、２８、２９又は３０に記載の装置。
【請求項３７】
前記ＣＰＵがパラメータを変えるように機能し、該パラメータに従って、前記動作は、前記証印の生成の工程監視ユニットの評価に従って制御される、
ことを特徴とする請求項２８に記載の装置。